(57)【要約】【課題】  ガイドワイヤ又はカテーテル等の導入部材の外径に応じて適した止血性能と通過性を有する止血弁付Ｙ型コネクタを提供する。【解決手段】  本発明にかかる止血弁付Ｙ型コネクタ１００は、ガイドワイヤ又はカテーテル等の線状に形成された導入部材９０が挿通する挿通部を長手方向に有する主管部１１及び主管部１１から側方方向に延びた側管部１２を有する本体部１０と、本体部１０に挿通される導入部材９０が通過可能であるとともに、血液の流出を防止する止血弁６０と、を備えた止血弁付Ｙ型コネクタ１００において、止血弁６０は、基端部側中央の最も薄い部分が止血弁６０の最も厚い部分に対して１／２以下の厚さを有し、放射方向に向かって徐々に厚くなる凹状の止血弁用凹部が形成されており、かつ中心から放射方向に複数のスリット６２を有してなることを特徴とする。【選択図】図２
2020199223.tif 000002
【特許請求の範囲】
【請求項１】
ガイドワイヤ又はカテーテル等の線状に形成された導入部材が挿通する挿通部を長手方向に有する主管部及び前記主管部から側方方向に延びた側管部を有する本体部と、
前記本体部に挿通される前記導入部材が通過可能であるとともに、血液の流出を防止する止血弁と、を備えた止血弁付Ｙ型コネクタにおいて、
前記止血弁は、基端部側中央の最も薄い部分が前記止血弁の最も厚い部分に対して１／２以下の厚さを有し、放射方向に向かって徐々に厚くなる凹状の止血弁用凹部が形成されており、かつ中心から放射方向に複数のスリットを有してなることを特徴とする止血弁付Ｙ型コネクタ。
【請求項２】
前記止血弁用凹部は、基端部側中央の最も薄い部分が前記止血弁の最も厚い部分に対して１／３以下の厚さであることを特徴とする請求項１に記載の止血弁付Ｙ型コネクタ。
【請求項３】
前記止血弁用凹部は、中心に、頂点に凹部が形成された中心厚肉部を有することを特徴とする請求項１又は２に記載の止血弁付Ｙ型コネクタ。
【請求項４】
前記止血弁用凹部には、前記止血弁用凹部を開放するための押子の先端面と面接触可能な押子当接部が設けられていることを特徴とする請求項１から３のいずれか１項に記載の止血弁付Ｙ型コネクタ。
【請求項５】
前記止血弁用凹部は、底面側に薄肉部が設けられていることを特徴とする請求項１から４のいずれか１項に記載の止血弁付Ｙ型コネクタ。
【請求項６】
前記止血弁は、外周に隙間が設けられるように配置されていることを特徴とする請求項１から５のいずれか１項に記載の止血弁付Ｙ型コネクタ。
【請求項７】
前記止血弁は、外周に突起が設けられていることを特徴とする請求項１から６のいずれか１項に記載の止血弁付Ｙ型コネクタ。
【請求項８】
前記止血弁は、外周の少なくとも一部に下方側の直径が小さくなるように傾斜面を有しており、前記傾斜面と略同一の傾斜面を有する支持面に載置されていることを特徴とする請求項１から７のいずれか１項に記載の止血弁付Ｙ型コネクタ。
【請求項９】
前記止血弁用凹部のスリットは、基端側に切られたスリットと、先端側に切られたスリットがねじれの位置にあることを特徴とする請求項１から８のいずれか１項に記載の止血弁付Ｙ型コネクタ。
【請求項１０】
前記止血弁は、複数の部材が積層されていることを特徴とする請求項１から９のいずれか１項に記載の止血弁付Ｙ型コネクタ。
【請求項１１】
請求項１から１０のいずれか１項に記載の止血弁付Ｙ型コネクタにおいて、
前記止血弁より先端側に、基端側が細く形成された固定弁を有し、
前記固定弁の基端側に配置され、先端側の面に凹部が形成されたプッシャーを有し、
前記プッシャーを先端側に移動させることによって、前記プッシャーの前記凹部によって前記固定弁を中心方向へ押圧することでガイドワイヤ又はカテーテルを固定することを特徴とする止血弁付Ｙ型コネクタ。
【請求項１２】
前記固定弁と、前記プッシャーとの間に前記固定弁を押圧する爪を有するクローザーを備えたことを特徴とする請求項１１に記載の止血弁付Ｙ型コネクタ。
【発明の詳細な説明】
【技術分野】
【０００１】
本発明は、止血弁付Ｙ型コネクタに関する。
【背景技術】
【０００２】
従来、ガイドワイヤやカテーテルを挿入したり又は引いたりする操作を容易にするために、止血弁付Ｙ型コネクタが使用されている。止血弁付Ｙ型コネクタとしては、カテーテルを通す筒状のメインブランチから、液剤注入用である筒状のサブブランチが分岐したＹコネクタにおいて、メインブランチの内部に、筒状で長手方向の圧縮により孔の径が縮小し、当該孔に通されたカテーテルを固定する固定弁を設けるとともに、カテーテルの通過を包み込み状態で許容し、血液の流出を防止可能な第１止血弁及び第２止血弁を設け、更に、メインブランチの基端側に、長手方向に移動可能な筒状のオープナーを設けるとともに、第１止血弁のみを、オープナーの移動範囲内に配置したものが提案されている（特許文献１）。
【０００３】
しかしながら、かかる止血弁付Ｙ型コネクタは、第１止血弁にカテーテルを通すときに中央部がカテーテル挿入方向へ押し出されるように撓ませて挿入されることになる。このような構造を採用すると、止血弁に挿入されたカテーテルを挿入したり又は引いたりする際の抵抗が大きくなりやすいという問題点があった。また、固定弁は、長手方向への圧縮により孔の径を縮小させてカテーテルを固定する構造であることから、固定するための中心部の縮小する比率が小さく、固定できるカテーテルやガイドワイヤの太さに制限があった。また、固定弁を固定させるスクリューを回す際に比較的強い力が必要である上、カテーテルの固定力の微妙な調整が難しいという問題点があった。
【先行技術文献】
【特許文献】
【０００４】
【特許文献１】特開２００５−２６１７５９号公報
【発明の概要】
【発明が解決しようとする課題】
【０００５】
そこで、本発明は、上述した問題点を解決するためになされたものであり、止血弁にカテーテルを挿入する際に、止血弁の撓みを小さくし、挿入されるガイドワイヤやカテーテルの太さに応じて挿入したり又は引いたりする際の抵抗を減らして操作性の高いものとするとともに、固定弁の操作性をも向上させた止血弁付Ｙ型コネクタを提供することを目的とする。
【課題を解決するための手段】
【０００６】
本発明は、上述の目的を達成するために以下の手段を採った。
【０００７】
本発明にかかる止血弁付Ｙ型コネクタは、
ガイドワイヤ又はカテーテル等の線状に形成された導入部材が挿通する挿通部を長手方向に有する主管部及び前記主管部から側方方向に延びた側管部を有する本体部と、
前記本体部に挿通される前記導入部材が通過可能であるとともに、血液の流出を防止する止血弁と、を備えた止血弁付Ｙ型コネクタにおいて、
前記止血弁は、基端部側中央の最も薄い部分が前記止血弁の最も厚い部分に対して１／２以下の厚さを有し、放射方向に向かって徐々に厚くなる凹状の止血弁用凹部が形成されており、かつ中心から放射方向に複数のスリットを有してなることを特徴とする。
【０００８】
止血弁に、凹状の止血弁用凹部の最も薄い中央部分が止血弁の最も厚い部分に対して１／２以下の厚さとなるように薄肉の部分を設けることによって、ガイドワイヤやカテーテル等の導入部材の太さが細い場合には、抵抗の少ない薄い部分を通過させ、太さが太い場合には、抵抗が比較的高い厚い部分を通過させることができるため、導入部材の剛性に応じて適した抵抗力を有する止血弁を有する止血弁付Ｙ型コネクタとすることができる。
【０００９】
さらに、本発明にかかる止血弁付Ｙ型コネクタにおいて、
前記止血弁用凹部は、基端部側中央に、最も薄い部分が前記止血弁の最も厚い部分に対して１／３以下の厚さであることを特徴とするものであってもよい。
【００１０】
かかる構成を採用することによって、より細い導入部材を使用する場合にも好適な抵抗を有する止血弁とすることができる。
【００１１】
さらに、本発明にかかる止血弁付Ｙ型コネクタにおいて、
前記止血弁用凹部は、中心に、頂点に凹部が形成された中心厚肉部を有することを特徴とするものであってもよい。
【００１２】
かかる構成を採用することによって、細い導入部材を挿入する場合に、凹部で導入部材の先端の位置決めを行うことができるため、細い導入部材をより挿入しやすい止血弁付Ｙ型コネクタとすることができる。
【００１３】
さらに、本発明にかかる止血弁付Ｙ型コネクタにおいて、
前記止血弁用凹部には、前記止血弁用凹部を開放するための押子の先端面と面接触可能な押子当接部が設けられていることを特徴とするものであってもよい。
【００１４】
このように押子当接部を設けることによって、押子を押した場合に、より早く止血弁を開放することができる。また、面接触で押し込むことになるためより確実に止血弁を開放することができる。
【００１５】
さらに、本発明にかかる止血弁付Ｙ型コネクタにおいて、
前記止血弁用凹部は、底面側に薄肉部が設けられていることを特徴とするものであってもよい。
【００１６】
薄肉部を設けることによって、止血弁用凹部の下面の剛性を低くすることができ、止血弁用凹部を下方にたわみやすくすることができる。
【００１７】
さらに、本発明にかかる止血弁付Ｙ型コネクタにおいて、
前記止血弁は、外周に隙間が設けられるように配置されていることを特徴とするものであってもよい。
【００１８】
外周に隙間を設けておくことによって、止血弁に導入部材を挿入した際に、止血弁が外周側に膨らむように広げることができるようになる。これによって、様々な太さの導入部材に対しても好適な抵抗力を有する止血弁付Ｙ型コネクタとすることができる。
【００１９】
さらに、本発明にかかる止血弁付Ｙ型コネクタにおいて、
前記止血弁は、外周に突起が設けられていることを特徴とするものであってもよい。
【００２０】
かかる突起を設けることによって、止血弁を載置領域の中心に位置決めしやすくすることができる。
【００２１】
さらに、本発明にかかる止血弁付Ｙ型コネクタにおいて、
前記止血弁は、外周の少なくとも一部に下方側の直径が小さくなるような傾斜面を有しており、前記傾斜面と略同一の傾斜面を有する支持面に載置されていることを特徴とするものであってもよい。
【００２２】
かかる構成を採用することによって、止血弁を載置領域の中心に位置決めしやすくすることができる。
【００２３】
さらに、本発明にかかる止血弁付Ｙ型コネクタにおいて、
前記止血弁用凹部のスリットは、基端側に切られたスリットと、先端側に切られたスリットがねじれの位置にあることを特徴とするものであってもよい。
【００２４】
かかる構成を採用することによって、スリットが完全に隙間を形成することを防止することができ、血流の通過を防止する止血効果を向上させることができる。
【００２５】
さらに、本発明にかかる止血弁付Ｙ型コネクタにおいて、
前記止血弁は、複数の部材が積層されていることを特徴とするものであってもよい。
【００２６】
かかる構成を採用することによって、積層される止血弁の各層に形状の異なる止血弁を選択することで、異なる形状の止血弁を作製することができるようになる。
【００２７】
さらに、本発明にかかる止血弁付Ｙ型コネクタにおいて、
前記止血弁より先端側に、基端側が細く形成された固定弁を有し、
前記固定弁の基端側に配置され、先端側の面に凹部が形成されたプッシャーを有し、
前記プッシャーを先端側に移動させることによって、前記プッシャーの前記凹部によって前記固定弁を中心方向へ押圧することでガイドワイヤ又はカテーテルを固定することを特徴とするものであってもよい。
【００２８】
本発明にかかる固定弁によれば、長手方向に圧縮するのではなく、直接導入部材側方向へ固定弁を移動させることができるので、より太さの異なる導入部材に対して対応が可能である。また、微妙な固定強度の調整を行うことが可能になる。
【００２９】
さらに、本発明にかかる止血弁付Ｙ型コネクタにおいて、
前記固定弁と、前記プッシャーとの間に前記固定弁を押圧する爪を有するクローザーを備えたことを特徴とするものであってもよい。
【００３０】
かかる構成を採用することによって、固定弁に対して捩り方向に力が加わることを防止することができるため、捩りが戻ったりした場合に固定力が変化するといった事態を低減することができる。
【発明の効果】
【００３１】
本発明にかかる止血弁付Ｙ型コネクタによれば、ガイドワイヤ又はカテーテル等の導入部材の外径に応じて適した止血性能と通過性を有する止血弁付Ｙ型コネクタを提供することができる。
【図面の簡単な説明】
【００３２】
【図１】図１は、第１実施形態にかかる止血弁付Ｙ型コネクタ１００の正面図である。
【図２】図２は、第１実施形態にかかる止血弁付Ｙ型コネクタ１００の断面図である。
【図３】図３は、第１実施形態にかかる止血弁付Ｙ型コネクタ１００の分解斜視図である。
【図４】図４は、第１実施形態にかかる止血弁付Ｙ型コネクタ１００の固定弁３０を締め付けた状態を示す断面図である。
【図５】図５Ａ及び図５Ｂは、第１実施形態にかかる止血弁付Ｙ型コネクタ１００の止血弁６０を示す斜視図であり、図５Ｃは断面図である。
【図６】図６は、第１実施形態にかかる止血弁付Ｙ型コネクタ１００の止血弁６０の変形例を示す断面図である。
【図７】図７は、第１実施形態にかかる止血弁付Ｙ型コネクタ１００の止血弁６０の応用例を示す斜視図である。
【図８】図８は、第１実施形態にかかる止血弁付Ｙ型コネクタ１００の止血弁６０の応用例を用いた場合の止血弁付Ｙ型コネクタ１００を示す断面図である。
【図９】図９は、第１実施形態にかかる止血弁付Ｙ型コネクタ１００の止血弁６０の応用例を示す断面図である。
【図１０】図１０は、第２実施形態にかかる止血弁付Ｙ型コネクタ１００の断面図である。
【図１１】図１１は、第２実施形態にかかる止血弁付Ｙ型コネクタ１００の固定弁３０を締め付けた状態を示す断面図である。
【発明を実施するための形態】
【００３３】
次に、本発明にかかる止血弁付Ｙ型コネクタ１００の実施形態について、図を参照しつつ詳細に説明する。なお、以下に説明する実施の形態及び図面は、本発明の実施形態の一部を例示するものであり、これらの構成に限定する目的に使用されるものではなく、本発明の要旨を逸脱しない範囲において適宜変更することができる。なお、説明の便宜のため、特許請求の範囲及び明細書において、「基端側」及び「先端側」とは、止血弁付Ｙ型コネクタ１００に対して、図１に示すように、上方側（手元側）を「基端側」といい、下方側（遠位端側）を「先端側」という。
【００３４】
第１実施形態にかかる止血弁付Ｙ型コネクタ１００は、主として、図１及び図２に示すように、主管部１１及び側管部１２とを有する本体部１０と、本体部１０の基端側に取り付けられる固定弁３０と、クローザー４０と、プッシャー５０と、止血弁６０と、スクリューキャップ７０と、押子８０と、を備えている。
【００３５】
本体部１０は、図１又は図２に示すように、基端側から先端側まで長手方向に延びた主管部１１とこの主管部１１の中位から側方方向へ延びた側管部１２とを有する。主管部１１は、ガイドワイヤ又はカテーテル等の細長い線状の導入部材９０が挿通される長手方向に貫通した挿通部１１ａを有しており、基端側は、固定弁３０と、クローザー４０及びプッシャー５０の一部とが収納可能なように直径が長く拡開された挿通部１１ｂが形成されている。側管部１２は、薬液や造影剤等を注入するため部分であり、端部に薬剤注入器等が接続可能となるようにネジ溝１２ａが螺刻されている。
【００３６】
固定弁３０は、比較的長い時間、導入部材９０を強く固定するために使用されるものであり、導入部材９０を周囲から押し付けることによって固定することができる。固定弁３０は、エラストマー、ゴム、シリコン等の弾性体で作製され、図２又は図３に示すように、基端側が細く先端側が太くなるように形成された略円錐台形に形成されており、基端側から先端側まで導入部材９０が挿通される挿通孔３１が形成されている。第１実施形態においては、後述するクローザー４０の内面と適合するように段差３２が設けられている。段差３２を設けることによってクローザー４０の先端側から順に締め付けることになるため、導入部材９０の固定の強さを調整しやすくすることができる。
【００３７】
クローザー４０は、前述した固定弁３０を締め付けるための部材であり、図２又は図３に示すように、内側へ可倒可能な複数の爪４１が円筒形の基部４２から上方に延設されている。爪４１は、固定弁３０の周囲に少なくとも一部が密着するように形成されており、図４に示すように、爪４１を内側へ可倒させて、固定弁３０の挿通孔３１を狭く締め付けることで導入部材９０を固定することができる。
【００３８】
プッシャー５０は、クローザー４０を締め付けて固定弁３０により導入部材９０を締め付ける機能と、止血弁６０を支持する機能とを有する。プッシャー５０は、中心に基端側から先端側へ貫通する貫通孔５５が形成されるとともに、底面側が略球面又は楕円球面となるような凹部５０ａが形成されており、プッシャー５０を先端側へ移動させることにより、凹部５０ａの内面が固定弁３０の先端又は／及びクローザー４０の爪４１を押圧し、固定弁３０の先端又は／及びクローザー４０の爪４１を導入部材９０側（中心方向）へ移動させることができる。また、プッシャー５０は、基端側に円筒形の凹状部５１が、直径の狭い円筒からなる下段凹状部５１ａ、直径の狭い円筒部からなる上段凹状部５１ｂとなるように下方から段差を有するように設けられている。この上段凹状部５１ｂには、止血弁６０が載置される。
【００３９】
止血弁６０は、導入部材９０を挿入又は抜き取りするために固定弁３０の固定を開放した際に、血液が流れ出すことを防止するための部材である。止血弁６０は、図５Ａに示すように、全体が薄い円盤状に形成されており、導入部材９０が挿入される部位の基端側の面には、中心から徐々に厚くなるように凹状に形成された止血弁用凹部６１が形成されている。止血弁用凹部６１は、図５Ｃに示すように、少なくとも止血弁６０の最も薄い部分βが止血弁６０の最も厚い部分αの厚さの１／２以下の厚さとなるように円錐状又は球面状に形成される。より好ましくは３／１以下の厚さとなるように設けることが好ましい。これにより、中心から周囲方向にいくに従って止血弁６０の弁が厚くなるように形成されるため、細いガイドワイヤのように剛性が低く挿入力が弱い場合には、中心の薄い部分から挿入させることができ、カテーテルのように剛性が比較的高く挿入力が強い場合には、ある程度厚みがある場所でも問題なく挿入させることができ、挿入させる部材の太さによって通過性を確保させつつ、止血性能を向上させることができる。また、同様に挿入させた後も導入部材９０の太さに応じて抵抗力が働くため、適切な力で導入部材９０を移動させることができる。止血弁６０は、図５Ｂに示すように、さらに、中心から放射方向に複数のスリット６２が形成されている。好ましくは、第１実施形態のように、基端側から途中まで切り込みを入れた上側スリット６２ａと、下端側から途中まで切り込みを入れた下側スリット６２ｂがねじれの位置となるように配置するとよい。なお、スリット６２の数は特に限定するものではない。また、細いガイドワイヤにおいても止血性能を向上させるために、図６Ａに示すように、中心部近傍のみ厚く形成された中心肉厚部６３を形成してもよい。この場合、火山口のように、さらに中心に中心凹部６４を設けることで細いガイドワイヤの先端を止血弁６０の中心に位置決めしやすくなる。これら止血弁６０は、一体で作製する必要はなく、図６Ｂに示すように、止血弁用凹部６１が形成されている上方止血弁６０ａと下方止血弁６０ｂとに分離して形成し、重ねて使用してもよい。このように分割して形成することによって、止血弁用凹部６１の厚みや、スリット６２の形態、スリット６２の幅等が異なる上方止血弁６０ａと下方止血弁６０ｂとを組み合わせて使用することができ、最適な形態のものを選択して積層して使用することができる。また、止血弁６０は、図６Ｃに示すように、先端側に凹状に形成された先端側凹部６６を設けても構わない。
【００４０】
こうして作製された止血弁６０は、プッシャー５０の上段凹状部５１ｂに配置される。この際に、止血弁６０は、上段凹状部５１ｂの内壁面より一回り小さく作製されており、上段凹状部５１ｂの内壁面と止血弁６０との外周面との間には、隙間γ（図２参照）が形成されている。このため、止血弁６０に導入部材９０を挿入した際に、導入部材９０に押されて止血弁６０の外周側は周囲に広がることができ、異なる太さの導入部材９０を挿入した場合でも抵抗力に大きな差ができることなく適した押圧力を確保することができる。
【００４１】
止血弁６０は、以下のように応用して使用することもできる。図７Ａに示すように、押子８０の先端によって押し込まれる部位に、押子８０が当接する押子当接部６９を設けたものである。押子当接部６９は、図８に示すように、外周の面と同一平面になるように形成されており、押子８０を下方に押し下げた場合に、押子８０の先端の平面によって面で押圧するように形成された面である。このように押子当接部６９を設けることによって、上記の止血弁６０と比較して押子８０を押した場合に、より早く止血弁６０を開放することができ、かつ面接触で押し込むことになるためより確実に止血弁６０を開放することができる。また、止血弁６０の止血弁用凹部６１に押子当接部６９が設けられることによって、内径が小さくなることから、内側からの圧力に対して形状をしっかり支えることができる。また、図７Ｂに示すように、押子当接部６９を全周に設けても良い。すなわち、スリット６２より内側に小さい止血用凹部６１が形成されるように設けられる。このような構成とすることによって、押子８０の先端全面で押子当接部６９を押圧することができる。このように押子当接部６９を全周に設けた場合には、背面側に薄肉部６９ａを設けることで剛性を低くし、止血弁用凹部６１が下方方向にたわみやすいように形成してもよい。かかる構成を採用することによって、ガイドワイヤやカテーテルを通過させやすくするこができる。
【００４２】
また、止血弁６０及びプッシャー５０とは、以下のように応用して使用することもできる。図９Ａには、止血弁６０の応用例１が示されている。応用例１のプッシャー５０は、プッシャー５０の凹状部５１の上段凹状部５１ｂ及び下段凹状部５１ａとの間に、下方側の直径が小さくなるような傾斜面５１ｃを有しており、この傾斜面５１ｃが止血弁６０の支持面を形成する。止血弁６０は、この傾斜面５１ｃとほぼ同様の傾斜面６５を有するように形成され、対向するように配置可能に形成されている。このような形態を採用することによって、止血弁６０は、載置した後先端方向へ押圧すれば、自動的にプッシャー５０の凹状部５１の中心に配置されることになる。
【００４３】
図９Ｂには、止血弁６０とプッシャー５０との関係の応用例２が示されている。応用例２のプッシャー５０の凹状部５１は、段差を有しておらず、略円筒形に形成されており、円筒形の下端に止血弁６０の支持面が形成されている。止血弁６０は、円筒形よりわずかに直径が小さい円筒形に形成されており、高さはプッシャー５０の凹状部５１の高さと同等の高さに形成されている。止血弁６０の外周には、複数の柔軟な突起６８が設けられており、この突起６８によって止血弁６０が中心に配置されるようになっている（図９Ｂでは、凹状部５１の内壁面から突出するように描かれているが、実際には押しつぶされた状態で配置される。）。このように形成することで、止血弁６０を中心に配置可能であるとともに、導入部材９０が挿入された場合には、突起６８はさらに押しつぶされて止血弁６０は周囲に広げることができる。
【００４４】
スクリューキャップ７０は、固定弁３０と、クローザー４０と、プッシャー５０と、止血弁６０を本体部１０に収納するための蓋部材としての機能を有するとともに、プッシャー５０の位置を本体の長手方向に対して調整する機能を有する。スクリューキャップ７０は、本体部１０の基端側の外周に形成されたネジ山と係合可能なネジ山が内周に形成された筒状の部材であり、回転させることにより、プッシャー５０を押し下げたり、引き上げたりすることができる。
【００４５】
押子８０は、図２に示すように、基端側に操作用円盤部８１を有し、この操作用円盤部８１からスクリューキャップ７０内に延設された延設部８２を有している。この押子８０は、スクリューキャップ７０に対して長手方向に移動可能に設けられており、押子８０を押すと、延設部８２の先端は止血弁６０の止血弁用凹部６１を押圧して止血弁６０の弁を開口することができる。すなわち、止血弁６０の弁を開くことにより、導入部材９０を挿入しやすくしたり、固定されている導入部材９０を開放して、挿入したり、引き出したりしやすくすることができる。この押子８０は、図３に示すように、延設部８２の外周にスクリューキャップ７０に形成された係合片７２と係合可能な係合凹部８４を有しており、押子８０を回転させることによって同時にスクリューキャップ７０をも回転させることができる。また、押子８０にはスクリューキャップ７０から完全に外れることを防止するためにスクリューキャップ７０の係合片７２と係合する外れ防止片８６が設けられている。
【００４６】
さらに、本体部１０の先端には、任意にローテーター８５を設けても良い。ローテーター８５は、図２に示すように、導入部材９０が挿通される基端側と先端側が貫通した貫通孔８５ａと、その周囲に形成された円形溝８５ｂとを有している。この円形溝８５ｂには、ガイディングカテーテルその他のカテーテルを接続することができる。
【００４７】
以上のように作製された止血弁付Ｙ型コネクタ１００の使用方法の一例を示す。まず、ローテーター８５の円形溝８５ｂにガイディングカテーテル（図示しない。）を取り付ける。この状態でガイディングカテーテルを治療部位まで挿入する。その後、固定弁３０を開いた状態でガイドワイヤを挿入する。この際に止血弁６０は閉じた状態であってもよいし、開いた状態であってもよい。本実施形態にかかる止血弁付Ｙ型コネクタ１００は、ガイドワイヤを挿入する部位が薄く形成され、かつ周囲に広がることができるので、細いガイドワイヤであっても容易に挿入することができる。もちろん、術者の操作性に応じて押子８０を若干押した状態で止血弁６０を血流が逆流しない程度にわずかに開いた状態で挿入しても構わない。そしてガイドワイヤが治療部位まで到達した後、カテーテルをガイドワイヤに沿って挿入する。この際もガイドワイヤ挿入時と同様に止血弁６０は閉じた状態であっても開いた状態であってもよい。止血弁６０が閉じた状態であっても止血弁６０は周囲に広がることができるので、適度な抵抗力で挿入させることができる。その後、スクリューキャップ７０をねじることでプッシャー５０を先端側に押し下げると、図４に示すように、クローザー４０の爪４１が内側へ押圧され、固定弁３０の周囲から中心方向へ押圧し、固定弁３０の中心が狭くなりカテーテルを固定することができる。この状態から、ガイドワイヤを引き抜く。この際には、止血弁６０が閉じているので、血流が逆流することは低減することができる。その後、治療方法に応じて、バルーンカテーテルや、ステント等の治療器具をカテーテルのルーメンを利用して挿入して治療がなされる。治療が終了した後に、カテーテルを引き抜く際には、固定弁３０を開放する。これにより血流は止血弁６０まで逆流するが、止血弁６０で止められ、それ以上逆流することが防止される。そして、カテーテルを引き抜いた後、ガイディングカテーテルを引き抜き、治療が終了する。
【００４８】
本実施形態にかかる止血弁付Ｙ型コネクタ１００によれば、導入部材９０を挿通させる場合に、止血弁用凹部６１によって挿通される際の抵抗が減少されていることから、導入部材９０の太さにかかわらず挿入しやすいものとすることができる。また挿入された後の挿入又は抜き取りにおいても、止血弁６０は、上段凹状部５１ｂより一回り小さく作製されており、周囲に広がることができることから挿入される導入部材９０の太さが太くなっても導入部材９０を押圧する押圧力が強くなる率を低く抑えることができるので、通過性能を低下させることを低減することができる。
【００４９】
また、中央部のみ肉厚を厚く形成した止血弁６０を使用することによって、特に細いガイドワイヤを使用した場合には、ガイドワイヤの先端の位置決めを容易にし、通過性を確保しつつ、止血性能をも向上させることができる。
【００５０】
また、固定弁３０により導入部材９０を固定する場合には、本実施形態による固定弁３０は、押しつぶされるものではなく、直接的に固定弁３０をクローザー４０によって中心方向へ移動させるものであるので、固定力を調整しやすいものとすることができる。また、固定弁３０に対してプッシャー５０の回転が伝達されることはないため、固定弁３０がねじれたりする可能性を低減することができる。これにより、安定した固定力を発生させることができる。また、押しつぶす場合と比較して中心を締め付ける調整幅が広がり、太いカテーテルから細いガイドワイヤまで適切に対応することができる。
【００５１】
（第２実施形態）
第２実施形態にかかる止血弁付Ｙ型コネクタ１００が図１０及び図１１に示されている。第２実施形態にかかる止血弁付Ｙ型コネクタ１００の本体部１０と、プッシャー５０と、止血弁６０、スクリューキャップ７０と、押子８０は、第１実施形態と同様であるので、説明を省略する。
【００５２】
第２実施形態にかかる止血弁付Ｙ型コネクタ１００は、第１実施形態に対してクローザー４０を有しない点が大きく異なる。固定弁３０に対して、図１１に示すようにプッシャー５０が直接に固定弁３０を締め付けて導入部材９０を固定する構成としてある。かかる構成を採用することによってクローザー４０を必要とすることなく、固定弁３０を中心方向へ移動させて導入部材９０を固定することができる。
【産業上の利用可能性】
【００５３】
上述した実施の形態で示すように、ガイドワイヤやカテーテルによる手術における補助具としてとして利用することができる。
【符号の説明】
【００５４】
１０…本体部、１１…主管部、１１ａ…挿通部、１１ｂ…挿通部、１２…側管部、１２ａ…ネジ溝、３０…固定弁、３１…挿通孔、３２…段差、４０…クローザー、４１…爪、４２…基部、５０…プッシャー、５０ａ…凹部、５１…凹状部、５１ａ…下段凹状部、５１ｂ…上段凹状部、５１ｃ…傾斜面、５５…貫通孔、６０…止血弁、６０ａ…上方止血弁、６０ｂ…下方止血弁、６１…止血弁用凹部、６２…スリット、６２ａ…上側スリット、６２ｂ…下側スリット、６３…中心肉厚部、６４…中心凹部、６５…傾斜面、６６…先端側凹部、６８…突起、７０…スクリューキャップ、７２…係合片、８０…押子、８１…操作用円盤部、８２…延設部、８４…係合凹部、８５…ローテーター、８５ａ…貫通孔、８５ｂ…円形溝、８６…防止片、９０…導入部材、１００…止血弁付Ｙ型コネクタ
【図１】
2020199223.tif 000003
【図２】
2020199223.tif 000004
【図３】
2020199223.tif 000005
【図４】
2020199223.tif 000006
【図５】
2020199223.tif 000007
【図６】
2020199223.tif 000008
【図７】
2020199223.tif 000009
【図８】
2020199223.tif 000010
【図９】
2020199223.tif 000011
【図１０】
2020199223.tif 000012
【図１１】
2020199223.tif 000013